(57)【要約】【課題】電源部の高効率化を図ることができる照明装置を提供する。【解決手段】第１，第２の光源モジュール１ａ，１ｂと、第１，第２の光源モジュール１ａ，１ｂに電力を供給する第１，第２の電源ユニット２ａ，２ｂと、第１，第２の電源ユニット２ａ，２ｂを制御する制御部３とを備える照明装置において、制御部３は、第１，第２の光源モジュール１ａ，１ｂの点灯状態に応じて、第１，第２の電源ユニット２ａ，２ｂのうち使用する電源ユニットの数を決定して、第１，第２の光源モジュール１ａ，１ｂに所定電力を供給するように構成してある。これにより、第１，第２の光源モジュール１ａ，１ｂの点灯状態に応じて、適切に使用する電源ユニットの数を決定することにより、使用する電源ユニットの電力を高効率である定格出力に近づけることが可能となり、第１，第２の電源ユニット２ａ，２ｂを高効率の出力範囲にて使用することができる、【選択図】図１
2010287544.tif 000002
【特許請求の範囲】
【請求項１】
光源部と、該光源部に電力を供給する複数の電源部と、該複数の電源部を制御する制御部とを備える照明装置において、
前記制御部は、前記光源部の点灯状態に応じて、前記複数の電源部のうち使用する電源部の数を決定して、前記光源部に所定電力を供給するように構成してあることを特徴とする照明装置。
【請求項２】
前記制御部は、使用する電源部の電力の出力を定格出力に近づかせるべく、使用する電源部の数を決定するように構成してあることを特徴とする請求項１に記載の照明装置。
【請求項３】
前記制御部は、前記光源部の点灯状態が変化して、前記光源部に供給すべき供給電力が所定電力よりも小さくなったときに、前記複数の電源部のうち少なくとも一つを停止させるように構成してあることを特徴とする請求項１又は２に記載の照明装置。
【請求項４】
前記制御部は、前記複数の電源部を順に使用するように構成してあることを特徴とする請求項１から３の何れか一つに記載の照明装置。
【請求項５】
前記制御部は、前記複数の電源部夫々の使用時間を累計し、累計された総使用時間に基づいて、前記複数の電源部のうち総使用時間の短い電源部を選択的に使用するように構成してあることを特徴とする請求項１から３の何れか一つに記載の照明装置。
【請求項６】
２つの光源部と、該２つの光源部に電力を供給する２つの電源部とを備えており、該２つの電源部のうち一方の電源部を停止したときに、前記２つの光源部夫々が他方の電源部に接続されるように構成してあることを特徴とする請求項１から５の何れか一つに記載の照明装置。
【請求項７】
前記電源部は、交流電源を直流電源に変換して前記光源部に供給する電源部であることを特徴とする請求項１から６の何れか一つに記載の照明装置。
【請求項８】
前記光源部はＬＥＤを備えてなることを特徴とする請求項１から７の何れか一つに記載の照明装置。
【発明の詳細な説明】
【技術分野】
【０００１】
本発明は、光源部と、該光源部に電力を供給すべき複数の電源部と、該複数の電源部を制御する制御部とを備える照明装置に関する。
【背景技術】
【０００２】
複数の電源部から光源部等の負荷に電力が供給されるように構成された照明装置等の装置においては、負荷に供給されるべき電力に応じて複数の電源部の出力を夫々制御するように構成してある（例えば、特許文献１参照）。
【０００３】
特許文献１に開示された複数電源の出力調整方法は、一つの負荷に対して複数の電源を接続して運転する装置において、各電源の出力をバランスがとれた出力目標値にすべく、複数の電源夫々に設けた制御部により電源毎に自律的に制御するようにしてある。このように各電源の出力を調整して複数の電源間において出力をバランスさせているから、個々の電源装置の寿命の偏りをなくすことができると共に、出力の安定性を向上させることができる。
【先行技術文献】
【特許文献】
【０００４】
【特許文献１】特開２００３−１５７１１７号公報
【発明の概要】
【発明が解決しようとする課題】
【０００５】
ところで、一般に、電源部は、定格出力であるときに効率が高くなるように設計してあり、出力の低下に応じて電源効率も低下する。照明装置においては、例えば夜間の安全灯の如く、低い照度にて照明する場合、全灯状態の高い照度にて室内を明るく照明する場合等、状況に応じて、負荷である光源部の調光率を数％〜１００％の範囲に亘って幅広く変更することが可能なように構成してある。
【０００６】
このような装置において、特許文献１に記載の複数電源の出力調整方法により電源部の出力を調整して複数の電源部の各出力をバランスさせる場合、各電源部の出力は、負荷に供給される電力の変動幅に応じて大きく変化することになる。このため、負荷に供給する電力が小さくなったときに、複数の電源部夫々の出力が低出力になり、電源部の効率が低下してしまうという問題があった。
【０００７】
本発明は斯かる事情に鑑みてなされたものであり、電源部の高効率化を図ることができる照明装置を提供することを目的とする。
【課題を解決するための手段】
【０００８】
本発明に係る照明装置は、光源部と、該光源部に電力を供給する複数の電源部と、該複数の電源部を制御する制御部とを備える照明装置において、前記制御部は、前記光源部の点灯状態に応じて、前記複数の電源部のうち使用する電源部の数を決定して、前記光源部に所定電力を供給するように構成してあることを特徴とする。
【０００９】
本発明にあっては、光源部の点灯状態に応じて、複数の電源部のうち使用する電源部の数を決定して、前記光源部に所定電力を供給するように構成してあるから、光源部の点灯状態に応じて、適切に使用する電源部の数を決定することにより、使用する電源部の電力を高効率である定格出力に近づけることが可能となり、電源部を高効率の出力範囲にて使用することができる。
【００１０】
本発明に係る照明装置は、前記制御部は、使用する電源部の電力の出力を定格出力に近づかせるべく、使用する電源部の数を決定するように構成してあることを特徴とする。
【００１１】
本発明にあっては、使用する電源部の電力の出力を定格出力に近づかせるべく、使用する電源部の数を決定するように構成してあるから、電源部を高効率の出力範囲にて使用することができる。
【００１２】
本発明に係る照明装置は、前記制御部は、前記光源部の点灯状態が変化して、前記光源部に供給すべき供給電力が所定電力よりも小さくなったときに、前記複数の電源部のうち少なくとも一つを停止させるように構成してあることを特徴とする。
【００１３】
本発明にあっては、光源部に供給すべき供給電力が所定電力よりも小さくなったときに、複数の電源部のうち少なくとも一つを停止させるように構成してある。所定電力を適切に設定することにより、使用する電源部の出力を定格出力に近づけることが可能となり、複数の電源部を高効率の出力範囲にて使用することができる。
【００１４】
本発明に係る照明装置は、前記制御部は、前記複数の電源部を順に使用するように構成してあることを特徴とする。
【００１５】
本発明にあっては、複数の電源部を順に使用するように構成してある。例えば、２つの電源部を有する場合、使用する電源部は交互になるから、複数の電源部間の総使用時間の平均化を図ることができ、電源寿命を延ばすことができる。この結果、照明装置の製品寿命を延ばすことができる。
【００１６】
本発明に係る照明装置は、前記制御部は、前記複数の電源部夫々の使用時間を累計し、累計された総使用時間に基づいて、前記複数の電源部のうち総使用時間の短い電源部を選択的に使用するように構成してあることを特徴とする。
【００１７】
本発明にあっては、累計された複数の電源部夫々の総使用時間に基づいて、複数の電源部のうち総使用時間の短い電源部を選択的に使用するように構成してある。例えば、２つの電源部を有する場合、２つの電源部のうち総使用時間が短い方を使用するから、複数の電源部の総使用時間を略等しくすることができ、電源寿命を延ばすことができる。この結果、照明装置の製品寿命を延ばすことができる。
【００１８】
本発明に係る照明装置は、２つの光源部と、該２つの光源部に電力を供給する２つの電源部とを備えており、該２つの電源部のうち一方の電源部を停止したときに、前記２つの光源部夫々が他方の電源部に接続されるように構成してあることを特徴とする。
【００１９】
本発明にあっては、２つの光源部に電力を供給する２つの電源部のうち一方の電源部を停止したときに、２つの光源部夫々が他方の電源部に接続されるように構成してある。供給電力が所定電力よりも大きいときは、各電源部により光源部に電力が供給され、供給電力が所定電力よりも小さいときは、他方の電源部のみにより２つの光源部に電力が供給されることになる。所定電力を例えば最大供給電力の５０％に設定することにより、１つの電源部により２つの光源部を点灯することができ、電源部の高効率化及び省エネルギ化を図ることができる。
【００２０】
本発明に係る照明装置は、前記電源部は、交流電源を直流電源に変換して前記光源部に供給する電源部であることを特徴とする。
【００２１】
本発明にあっては、前記電源部は交流電源を直流電源に変換して光源部に供給する電源部である。前述した如く電源部を使用することにより、高効率化及び省エネルギ化を図ることが可能な、交流電源を直流電源に変換する電源部を提供することができる。
【００２２】
本発明に係る照明装置は、前記光源部はＬＥＤを備えてなることを特徴とする。
【００２３】
本発明にあっては、光源としてＬＥＤを用いている。例えば、光源部の点灯状態である調光率を変化させるべく、調光率に対応するデューティ比を求め、求めたデューティ比のパルス状の電力を、複数の光源部に順に供給するように構成する。この構成において、光源部の調光率に応じた供給電力に応じて、前述した如く電源部を使用することにより、少なくとも１つ少ない電源部により複数の光源部を点灯することができ、電源部の高効率化及び省エネルギ化を図ることが可能となる。
【発明の効果】
【００２４】
本発明によれば、電源部の高効率化を図ることができる。
【図面の簡単な説明】
【００２５】
【図１】本発明に係る照明装置の概略構成を示すブロック図である。
【図２】電源ユニットの電気的構成を示すブロック図である。
【図３】電源ユニットの電源出力と電源効率との関係の一例を示す図である。
【図４】照明装置の電源制御の処理手順の一例を示すフローチャートである。
【図５】調光信号の一例を示す図である。
【図６】照明装置の電源制御の処理手順の他の例を示すフローチャートである。
【図７】照明装置の電源制御の処理手順の他の例を示すフローチャートである。
【発明を実施するための形態】
【００２６】
以下、本発明をその実施の形態を示す図面に基づいて詳述する。図１は本発明に係る照明装置の概略構成を示すブロック図である。
【００２７】
本発明に係る照明装置は、光源部である第１，第２の光源モジュール１ａ，１ｂと、第１，第２の光源モジュール１ａ，１ｂに電力を供給する電源部である第１，第２の電源ユニット２ａ，２ｂと、第１，第２の電源ユニット２ａ，２ｂ夫々を制御する制御部３とを備えている。なお、本実施の形態においては、第１，第２の電源ユニット２ａ，２ｂとして、同一の電源ユニットを用いている。
【００２８】
図２は、電源ユニットの電気的構成を示すブロック図である。第１，第２の電源ユニット２ａ，２ｂの構成は同一であるので、以下、第１の電源ユニット２ａについて説明して、第２の電源ユニット２ｂの説明は省略する。
【００２９】
第１の電源ユニット２ａには、１００Ｖの商用交流電源（ＡＣ）が端子台（図示せず）を介して接続してある。端子台には、第１の電源ユニット２ａを構成するヒューズ２０の一端が接続してあり、これにより過電流が発生したとき、ヒューズ２０が速やかに溶断するから、発煙、発火から第１の電源ユニット２ａの内部部品が保護される。ヒューズ２０の他端には、整流回路２１が接続してあり、整流回路２１は、例えば、ブリッジダイオードであり、整流回路２１により商用交流電源から供給された交流電流が全波整流される。整流回路２１の他端には、ノイズフィルタ回路２２の一端が接続してあり、ノイズフィルタ回路２２によりノイズが低減される。
【００３０】
ノイズフィルタ回路２２の他端には、スイッチ回路２３の一端が接続してある。スイッチ回路２３は、トランジスタ、電界効果型トランジスタ（以下、ＦＥＴという）等のスイッチング素子であり、制御ＩＣ２４により与えられる信号に応じた開閉動作をなす。このスイッチ回路２３により、ノイズフィルタ回路２２を介して整流回路２１から供給された電流が高周波の交流電流に変換される。スイッチ回路２３の他端には、１次２次絶縁型のトランス２５の１次側が接続してある。
【００３１】
トランス２５の１次側に供給される交流電圧は、２つのコイル間の相互誘導を利用して交流電圧の昇降を行うトランス２５により、１次側及び２次側の巻き線数比に応じた交流電圧に変換される。トランス２５の２次側には、制御電源供給回路２６及び光源用定電流供給回路２７の一端が夫々接続してあり、制御電源供給回路２６及び光源用定電流供給回路２７には、トランス２５にて変圧された交流電圧が夫々印加される。制御電源供給回路２６の他端には、制御部３が接続してあり、制御部３には、制御電源供給回路２６により整流され、平滑化された５Ｖの電源電圧の電力が供給される。
【００３２】
光源用定電流供給回路２７は、トランス２５により与えられた所定電圧の電力を一定電流にするように構成してあり、それ自体公知であるため詳細な説明は省略する。光源用定電流供給回路２７の他端には、過電圧保護回路２８の一端が接続してある。過電圧保護回路２８の他端には、後述する制御部３の調光回路部が接続してある。過電圧保護回路２８により過電圧が加わらないように第１の光源モジュール１ａが保護される。このように構成された第１，第２の電源ユニット２ａ，２ｂにより、交流電源から直流電源に変換されて、変換された直流電源が光源部である第１，第２の光源モジュール１ａ，１ｂに供給される。
【００３３】
スイッチ回路２３を制御する制御ＩＣ２４には、ＬＥＤと該ＬＥＤからの光を受光して信号を出力する受光素子とを備えてなるフォトカプラ２９が接続してある。フォトカプラ２９のＬＥＤには、制御部３により与えられた制御信号により前記ＬＥＤが発光し、該ＬＥＤからの光に応じて受光素子が出力した信号は、制御ＩＣ２４に与えられる。制御ＩＣ２４は、フォトカプラ２９により与えられた信号に応じてスイッチ回路２３のスイッチング素子の開閉動作を制御するように構成してある。
【００３４】
制御部３は、図１に示すように、制御用のマイクロコンピュータ（以下、マイコンと略す）３１と、制御プログラム、設定内容等を記憶する記憶部３２と、第１，第２の光源モジュール１ａ，１ｂを所望の調光にて点灯すべく、該第１，第２の光源モジュール１ａ，１ｂに所定波形の電流を供給する調光回路部３３と、第１，第２の電源ユニット２ａ，２ｂ及び第１，第２の光源モジュール１ａ，１ｂ間の接続を切替える第１，第２のスイッチＳＷ１，ＳＷ２とを備えている。なお、記憶部３２として、例えばＥＥＰＲＯＭが用いられる。
【００３５】
前述した各第１，第２の電源ユニット２ａ，２ｂには、第１，第２のスイッチＳＷ１，ＳＷ２のいずれか一方を介して調光回路部３３が接続してあり、調光回路部３３には第１，第２の光源モジュール１ａ，１ｂが夫々接続してある。第１の光源モジュール１ａ及び第２の光源モジュール１ｂは、ＬＥＤ素子と、該ＬＥＤ素子を封止する封止樹脂と、入力端子及び出力端子とを備えてなる表面実装型ＬＥＤである。
【００３６】
調光回路部３３は、第１，第２の光源モジュール１ａ，１ｂ夫々に対する給電又は遮断を行う電界効果型トランジスタ等のスイッチング素子を備えている。この調光回路部３３のスイッチング素子は、マイコン３１により与えられる信号により開閉動作するように構成してある。
【００３７】
マイコン３１は、記憶部３２に記憶されている調光用の制御プログラムを読込み、例えば、リモートコントローラ等の入力装置（図示せず）からの信号に応じた調光率（点灯状態）にすべく、調光信号を生成し、生成した調光信号を調光回路部３３に与える。調光信号は、第１，第２の光源モジュール１ａ，１ｂを構成するＬＥＤの電流−輝度特性に従った電流信号であり、本実施の形態においては、所定のデューティ比のパルス信号である。
【００３８】
例えば、入力装置として、光源を点灯又は消灯する操作を受け付ける電源スイッチと、光源の明るさを連続的に変化させる操作を受け付けるロータリスイッチ等から構成される調光ボリュームと、これらスイッチの操作に応じた赤外線信号の送信を行う送信部とを備えてなる赤外線リモコンが用いられる。なお、入力装置は必須ではなく、例えば、入力装置を備えずに、時間に応じて自動に調光率を変更するように構成された照明装置に対しても、予め設定された調光率に応じて以下に述べる電源の制御を行うように構成することが可能である。
【００３９】
また、マイコン３１は、第１，第２の光源モジュール１ａ，１ｂの点灯状態である前記調光率に応じて、第１，第２の光源モジュール１ａ，１ｂに供給すべき供給電力を求め、求めた供給電力と第１，第２の光源モジュール１ａ，１ｂに供給する最大供給電力（第１，第２の電源ユニット２ａ，２ｂの定格出力の合計電力と略同じ）との比較を行い、比較結果に応じて複数の電源部である第１，第２の電源ユニット２ａ，２ｂのうち使用する電源ユニットの数を決定し、この決定に応じて第１，第２の電源ユニット２ａ，２ｂの制御及び第１，第２のスイッチＳＷ１，ＳＷ２の切替制御を行う。
【００４０】
マイコン３１には、第１，第２の電源ユニット２ａ，２ｂのフォトカプラ２９が接続してあり、マイコン３１は、前述したように、フォトカプラ２９に制御信号を与えて、第１，第２の電源ユニット２ａ，２ｂの制御ＩＣ２４の動作を制御することにより第１，第２の電源ユニット２ａ，２ｂの使用の開始又は停止を含む出力の制御を行うように構成してある。例えば、電源ユニット２ａ、電源ユニット２ｂの使用の開始又は停止は、制御ＩＣ２４から電源ユニット２ａ、電源ユニット２ｂにイネーブル信号又はディセーブル信号を送信することによって為される。
【００４１】
また、マイコン３１には、第１，第２のスイッチＳＷ１，ＳＷ２が接続してあり、マイコン３１は、第１，第２の電源ユニット２ａ，２ｂの使用の開始又は停止の制御に応じて、これらスイッチＳＷ１，ＳＷ２の切替を制御して、第１，第２の電源ユニット２ａ，２ｂ及び第１，第２の光源モジュール１ａ，１ｂ間の接続を切替えるように構成してある。このような第１，第２の電源ユニット２ａ，２ｂの制御及び第１，第２のスイッチＳＷ１，ＳＷ２の切替制御を行うことによって、第１，第２の光源モジュール１ａ，１ｂに点灯状態に応じた所定電力が供給される。このように複数の電源ユニットのうち使用する電源ユニットの数を、光源モジュールの点灯状態である調光率に応じて決定し、光源モジュールに調光率に応じた所定電力を供給できるように構成してある。第１，第２の光源モジュール１ａ，１ｂの点灯状態に応じて、適切に使用する電源ユニットの数を決定することにより、第１，第２の電源ユニット２ａ，２ｂを高効率の出力範囲にて使用することが可能となる。具体的には、使用する電源ユニットの数は、使用する電源ユニットの電力の出力が定格出力に近づくように決定する。これは、以下に述べるように、一般に、電源ユニットは、定格出力であるときに効率が高くなるように設計してあるからである。
【００４２】
図３は、電源ユニットの電源出力と電源効率との関係の一例を示す図である。図３の横軸は、電源出力（％）を、縦軸は電源効率（％）を夫々示している。本発明に係る第１，第２の電源ユニット２ａ，２ｂの電源効率は、図３に示すように、電源出力の低下に伴って低下する。特に、電源出力が３０％以下において、電源効率が大きく低下することが分かる。なお、電源ユニットの電源出力と電源効率との関係は、一般に、図３に示す如く、電源出力の低下に伴って電源効率が低下する傾向を示す。
【００４３】
本発明に係る照明装置は、このような電源ユニットの電源出力と電源効率との関係を勘案して、第１，第２の電源ユニット２ａ，２ｂの電源制御を以下の如く行うように構成してある。
【００４４】
図４は、照明装置の電源制御の処理手順の一例を示すフローチャートである。制御部３は、設定内容に応じて調光率を変更する（ステップＳ１）。なお、設定内容は、予め記憶部３２に記憶してあるか、リモートコントローラ等の入力装置により入力される。
【００４５】
次に、調光率（点灯状態）に応じた光源モジュール１ａ，１ｂに供給する供給電力Ｐを求め、求めた供給電力Ｐが最大供給電力Ｐmax の５０％（所定電力）よりも小さいか否かを判定する（ステップＳ２）。なお、最大供給電力Ｐmax は、調光率１００％に対応しており、電源ユニット２ａ，２ｂの定格出力の合計電力と略同じである。
【００４６】
ステップＳ２において、供給電力Ｐが最大供給電力Ｐmax の５０％よりも小さいと判定された場合（ステップＳ２：ＹＥＳ）、第１のスイッチＳＷ１を、図１に示す第１の電源ユニット２ａに第１の光源モジュール１ａが接続してある状態から、第２の電源ユニット２ｂに第１の光源モジュール１ａが接続してある状態になるように、切替える（ステップＳ３）。そして、第１の電源ユニット２ａを停止して（ステップＳ４）、電源制御の動作を終了する。このとき生成される調光信号の一例を図５に示す。図５の横軸は時間を、縦軸は調光信号のパルス波形を夫々示している。図５の上段は、第１の光源モジュール１ａに対する調光信号を、下段は、第２の光源モジュール１ｂに対する調光信号を夫々示している。供給電力Ｐが最大供給電力Ｐmax の５０％よりも小さい場合、デューティ比は５０％未満になるから、図５に示すように、複数の光源部である第１，第２の光源モジュール１ａ，１ｂに交互に電力を供給することにより、１つの電源ユニットのみによって第１，第２の光源モジュール１ａ，１ｂを点灯することができる。
【００４７】
一方、ステップＳ２において、供給電力Ｐが最大供給電力Ｐmax の５０％よりも大きいと判定された場合（ステップＳ２：ＮＯ）、電源制御の動作をせずにそのまま終了する。
【００４８】
以上のように構成された照明装置においては、１００Ｖの商用交流電源から第１，第２の電源ユニット２ａ，２ｂに交流電流が供給され、第１，第２の電源ユニット２ａ，２ｂにて所定の直流電圧に変換された一定値の直流電流が制御部３の調光回路部３３を介して第１，第２の光源モジュール１ａ，１ｂに供給され、制御部３のマイコン３１にて生成されたパルス信号に応じた調光回路部３３のスイッチング素子の開閉動作に応じた明るさにて第１，第２の光源モジュール１ａ，１ｂが点灯することになる。この結果、照明装置は、設定された調光率にて点灯する。
【００４９】
このように、第１，第２の光源モジュール１ａ，１ｂに供給すべき供給電力が所定電力（最大供給電力Ｐmax の５０％）よりも小さくなったときに、第１，第２の電源ユニット２ａ，２ｂの一方（本実施の形態においては第１の電源ユニット２ａ）を停止させて、他方の電源ユニット（本実施の形態においては第２の電源ユニット２ｂ）のみで第１，第２の光源モジュール１ａ，１ｂに電力を供給するように構成してあるから、１つの電源ユニットにより２つの光源モジュールを点灯することができると共に、第１，第２の電源ユニット２ａ，２ｂを高効率の出力範囲にて動作させることができる。
【００５０】
なお、本実施の形態においては、図４のフローチャートに示した如く、第１の電源ユニット２ａを停止するように構成してあるが、第２の電源ユニット２ｂの方を停止するように構成してもよい。
【００５１】
図６は、照明装置の電源制御の処理手順の他の例を示すフローチャートである。制御部３は、設定内容に応じて調光率を変更する（ステップＳ１１）。
【００５２】
次に、調光率に応じた光源モジュール１ａ，１ｂに供給する供給電力Ｐを求め、求めた供給電力Ｐが最大供給電力Ｐmax の５０％よりも小さいか否かを判定する（ステップＳ１２）。
【００５３】
ステップＳ１２において、供給電力Ｐが最大供給電力Ｐmax の５０％よりも小さいと判定された場合（ステップＳ１２：ＹＥＳ）、前回、第１，第２の電源ユニット２ａ，２ｂのうち一方のみを使用したときに使用した電源の記録を記憶部３２から読込む（ステップＳ１３）。
【００５４】
次に、ステップＳ１３において読込まれた前回使用した電源の記録を用いて、前回使用した電源が第１の電源ユニット２ａか否かを判定する（ステップＳ１４）。なお、この判定は、例えば、前回、第１，第２の電源ユニット２ａ，２ｂのうち一方のみを使用したときに使用した電源が第１の電源ユニット２ａである場合、フラグを立てて記憶部３２に記憶することにより、フラグの有無により行うように構成すればよい。
【００５５】
ステップＳ１４において、前回使用した電源が第１の電源ユニット２ａであると判定された場合（ステップＳ１４：ＹＥＳ）、第１のスイッチＳＷ１を、図１に示す第１の電源ユニット２ａに第１の光源モジュール１ａが接続してある状態から、第２の電源ユニット２ｂに第１の光源モジュール１ａが接続してある状態になるように、切替える（ステップＳ１５）。そして、第１の電源ユニット２ａを停止して（ステップＳ１６）、電源制御の動作を終了する。
【００５６】
一方、ステップＳ１４において、前回使用した電源が第２の電源ユニット２ｂであると判定された場合（ステップＳ１４：ＮＯ）、第２のスイッチＳＷ２を、図１に示す第２の電源ユニット２ｂに第２の光源モジュール１ｂが接続してある状態から、第１の電源ユニット２ａに第２の光源モジュール１ｂが接続してある状態になるように、切替える（ステップＳ１７）。そして、第２の電源ユニット２ｂを停止して（ステップＳ１８）、電源制御の動作を終了する。
【００５７】
ステップＳ１２において、供給電力Ｐが最大供給電力Ｐmax の５０％よりも大きいと判定された場合（ステップＳ１２：ＮＯ）、電源制御の動作をせずにそのまま終了する。
【００５８】
このように、第１，第２の光源モジュール１ａ，１ｂに供給すべき供給電力が所定電力（最大供給電力Ｐmax の５０％）よりも小さくなったときに、第１，第２の電源ユニット２ａ，２ｂのうち前回使用した電源ユニットを停止させて、前回使用していない電源ユニットのみで第１，第２の光源モジュール１ａ，１ｂに電力を供給するように構成してあるから、１つの電源ユニットにより２つの光源モジュールを点灯することができると共に、第１，第２の電源ユニット２ａ，２ｂを高効率の出力範囲にて動作させることができる。そして、１つのみの電源ユニットを使用するときに、使用する電源ユニットが交互になるように（複数の電源ユニットを順に使用するように）構成しているから、複数の電源ユニット間の総使用時間の平均化を図ることができ、電源寿命を延ばすことができる。この結果、照明装置の製品寿命を延ばすことができる。
【００５９】
図７は、照明装置の電源制御の処理手順の他の例を示すフローチャートである。制御部３は、設定内容に応じて調光率を変更する（ステップＳ２１）。
【００６０】
次に、調光率に応じた光源モジュール１ａ，１ｂに供給する供給電力Ｐを求め、求めた供給電力Ｐが最大供給電力Ｐmax の５０％よりも小さいか否かを判定する（ステップＳ２２）。
【００６１】
ステップＳ２２において、供給電力Ｐが最大供給電力Ｐmax の５０％よりも小さいと判定された場合（ステップＳ２２：ＹＥＳ）、第１，第２の電源ユニット２ａ，２ｂ夫々の総使用時間Ｔ１，Ｔ２を記憶部３２から読込む（ステップＳ２３）。なお、第１，第２の電源ユニット２ａ，２ｂ夫々の総使用時間Ｔ１，Ｔ２は、マイコン３１に内蔵されたタイマにより第１，第２の電源ユニット２ａ，２ｂ夫々の使用時間を計測し、計測した使用時間を累計して、累計された総使用時間を電源ユニット２ａ，２ｂ毎に求めて記憶部３２に記憶してある。
【００６２】
次に、ステップＳ２３において読込まれた第１，第２の電源ユニット２ａ，２ｂの総使用時間Ｔ１，Ｔ２を用いて、Ｔ１≧Ｔ２であるか否かを判定する（ステップＳ２４）。
【００６３】
ステップＳ２４において、Ｔ１≧Ｔ２であると判定された場合（ステップＳ２４：ＹＥＳ）、第１のスイッチＳＷ１を、図１に示す第１の電源ユニット２ａに第１の光源モジュール１ａが接続してある状態から、第２の電源ユニット２ｂに第１の光源モジュール１ａが接続してある状態になるように切替える（ステップＳ２５）。そして、第１の電源ユニット２ａを停止して（ステップＳ２６）、電源制御の動作を終了する。即ち第１の電源ユニット２ａの総使用時間の方が第２の電源ユニット２ｂの総使用時間よりも長いと判定された場合、総使用時間の短い第２の電源ユニット２ｂの方を選択的に使用する。
【００６４】
一方、ステップＳ２４において、Ｔ１＜Ｔ２であると判定された場合（ステップＳ２４：ＮＯ）、第２のスイッチＳＷ２を、図１に示す第２の電源ユニット２ｂに第２の光源モジュール１ｂが接続してある状態から、第１の電源ユニット２ａに第２の光源モジュール１ｂが接続してある状態になるように、切替える（ステップＳ２７）。そして、第２の電源ユニット２ｂを停止して（ステップＳ２８）、電源制御の動作を終了する。即ち総使用時間の短い第１の電源ユニット２ａの方を選択的に使用する。
【００６５】
ステップＳ２２において、供給電力Ｐが最大供給電力Ｐmax の５０％よりも大きいと判定された場合（ステップＳ２２：ＮＯ）、電源制御の動作をせずにそのまま終了する。
【００６６】
このように、第１，第２の光源モジュール１ａ，１ｂに供給すべき供給電力が所定電力（最大供給電力Ｐmax の５０％）よりも小さくなったときに、第１，第２の電源ユニット２ａ，２ｂのうち総使用時間の長い電源ユニットを停止させて、総使用時間の短い電源ユニットのみで第１，第２の光源モジュール１ａ，１ｂに電力を供給するように構成してあるから、１つの電源ユニットにより２つの光源モジュールを点灯することができると共に、第１，第２の電源ユニット２ａ，２ｂを高効率の出力範囲にて動作させることができる。そして、２つの電源ユニットのうち総使用時間が短い方を使用するから、複数の電源ユニットの総使用時間を略等しくすることができ、電源寿命を延ばすことができる。この結果、照明装置の製品寿命を延ばすことができる。
【００６７】
なお、以上の実施の形態においては、所定電力を最大供給電力Ｐmax の５０％としているが、これに限定されず、所定電力は、最大供給電力Ｐmax の５０％以下の適宜の値を用いることができる。図３に示した電源ユニットの電源出力と電源効率との関係に基づいて、電源ユニットの電源効率が大きく落ち込む前の値を選択することが望ましい。本発明に係る電源ユニットの場合は、３０％〜５０％の範囲から選択することが望ましい。なお、この範囲は、用いる電源ユニットの特性に応じて、例えば、電源効率が８０％以上となる範囲を選択することにより適宜設定される。
【００６８】
また、以上の実施の形態においては、２つの電源ユニットと２つの光源モジュールとを備えた照明装置を例に説明したが、電源ユニットと光源モジュールの数の組合せはこれに限定されない。電源ユニットは３つ以上でもよい。また光源モジュールは１つでもよいし、３つ以上でもよい。例えば、３つの電源ユニットと２つの光源モジュールとを備えた照明装置の場合、所定電力を最大供給電力Ｐmax の３３％として、調光率（点灯状態）が変化して、光源モジュールに供給すべき供給電力が所定電力よりも小さくなったときに、２つの電源ユニットを停止するように構成すればよい。また、例えば、４つの電源ユニットと２つの光源モジュールとを備える照明装置の場合、２つの電源ユニットと１つの光源モジュールとを一組と考えて、所定電力を最大供給電力Ｐmax の５０％として、光源モジュールに供給すべき供給電力が所定電力よりも小さくなったときに、２つの電源ユニットのうち一方を停止するように構成すればよい。
【００６９】
また、以上の実施の形態においては、光源としてＬＥＤを用いているが、これに限定されず、ＥＬ（Ｅｌｅｃｔｒｏ  Ｌｕｍｉｎｅｓｃｅｎｃｅ）等の半導体を用いた光源、蛍光灯、電球等を用いてもよい。
【００７０】
また、以上の実施の形態においては、負荷としての光源を備える照明装置の電源ユニットの高効率化について述べたが、該電源ユニットは、照明装置に限定されず、光源以外の負荷を有する他の装置にも適用可能であり、その他、特許請求の範囲に記載した事項の範囲内において種々変更した形態にて実施することが可能であることは言うまでもない。
【符号の説明】
【００７１】
１ａ  第１の光源モジュール（光源部）
１ｂ  第２の光源モジュール（光源部）
２ａ  第１の電源ユニット（電源部）
２ｂ  第２の電源ユニット（電源部）
３  制御部
【図１】
2010287544.tif 000003
【図２】
2010287544.tif 000004
【図３】
2010287544.tif 000005
【図４】
2010287544.tif 000006
【図５】
2010287544.tif 000007
【図６】
2010287544.tif 000008
【図７】
2010287544.tif 000009